(57)【要約】【課題】農業用水利施設としての排水路機能を確保すると共に、生物の生息・生育環境を確保可能な水路を実現する。【解決手段】底版４に溝中心線を介して両側に打ち抜き可能な厚さの凹部６を直列に複数個設けた第２の水路コンクリートブロック１６により水路１を形成した。【選択図】図３
2005248431.tif 000002
【特許請求の範囲】
【請求項１】
底版に溝中心線を介して両側に打ち抜き可能な厚さの凹部を直列に複数個設けた第２の水路コンクリートブロックを敷設して水路を形成したことを特徴としてなる環境等を考慮した水路構造。
【請求項２】
水路の流速を変更させる区間に配置された第２の水路コンクリートブロックの凹部に、水路流速を変更可能な流速調整部材を配設し、該水路の植物等を付着させる区間に配置された第２の水路コンクリートブロックの凹部に、植物等が付着可能な植物等付着部材を固定してなる請求項１に記載の環境等を考慮した水路構造。
【請求項３】
底版に溝中心線を介して両側に打ち抜き可能な厚さの凹部を直列に複数個設けた第2の水路コンクリートブロックを敷設して水路を形成し、該凹部に、水路幅を所定間隔で２分割する位置に打ち抜き孔を設け、該打ち抜き孔に杭を立設し、該杭に土留板を固定して該土留板を境に低水路部と土壌、砂利等の生物育成材を充填した低水路敷き部とを左右に形成し、該低水路部と低水路敷き部に植物、生物等が生育・生息可能な環境に形成したことを特徴とする環境等を考慮した水路構造。
【請求項４】
底版に複数の貫通孔を設けた断面U形の水路用コンクリートブロックを水路に用いた水路構造において、前記水路には溝中心線を介して貫通孔を両側に直列に複数個設けた第１の水路コンクリートブロックを配置し、該貫通孔には水路幅より狭い間隔で杭を２列に立設し、該杭に土留板を固定して土留板間に低水路部を形成すると共に、土留板と側壁の内壁面間に生物育成材を充填して低水路敷き部を形成して複断面構造とし、植物、生物等が生育・生息可能な環境に形成したことを特徴とする環境等を考慮した水路構造。
【請求項５】
水路には、底版に溝中心線を介して両側に打ち抜き可能な厚さの凹部を直列に複数個設けた第２の水路コンクリートブロックを配置して施工してなる請求項4記載の環境等を考慮した水路構造。
【請求項６】
底版に溝中心線を介して両側に打ち抜き可能な厚さの凹部を直列に複数個設けた第２の水路コンクリートブロックにより水路を形成し、自然環境への配慮が必要となる水路区間は、水路施工後に該凹部を打ち抜いて打ち抜き孔を設け、該打ち抜き孔に杭を立設して施工してなる請求項４記載の環境等を考慮した水路構造。
【請求項７】
土留板の下部に切欠部を設け、該切欠部位置の土留板と側壁間に魚等の隠れ場所や巣となる巣作り体を配置してなる請求項４乃至6に記載の環境等を考慮した水路構造。
【請求項８】
水路の自然環境への配慮が不要とされる区間には、断面U形の第３の水路コンクリートブロックを配置し、水路の自然環境への配慮が必要な区間には、貫通孔を溝中心線を介して両側に直列に複数個設けた第１の水路コンクリートブロックを配置し、該第１の水路コンクリートブロックの貫通孔に、水路幅より狭い間隔で杭を立設し、該杭に土留板を固定して土留板間に低水路部を形成すると共に、土留板と側壁の内壁面間に生物育成材を充填して低水路敷き部を形成した複断面構造とし、植物、生物等が生育・生息可能な環境に形成したことを特徴とする環境等を考慮した水路構築方法。
【発明の詳細な説明】
【技術分野】
【０００１】
本発明は、水生生物が生息し、植物などが生育可能な自然環境を考慮すると共に、排水路機能に配慮した、環境等を考慮した水路構造及び水路構築方法に関するものである。
【背景技術】
【０００２】
従来、特開２００１−１７２９４１公報がある（特許文献１参照）。これは、水路用コンクリートブロックの底版に複数の貫通孔をランダム、千鳥状に設けたものである。そして、この貫通孔に水路の流速を調整するため障害物を設置するものである。
【０００３】
【特許文献１】特開２００１−１７２９４１公報
【発明の開示】
【発明が解決しようとする課題】
【０００４】
（１）従来の水路は、治水・利水機能を中心に考えて施工されているため、水（流水）を効率よく、安全に流下可能で、施工性の良いコンクリート製のブロックにより整備が進められてきた。このコンクリート製水路は、除草作業・土砂さらいなどの手間が少なく維持管理が容易で、効率的、画一的な断面で直線的に施工されるため、一様な流れとなり流速が速くなる。こうしたコンクリート製水路により整備された水路は、自然環境、生態系への影響が大きく、植物や生物の生息空間を奪うことになって、植物は生育し難く、生物は生息し難いものとなり、植物や生物の居ない水路になるという問題点がある。
【０００５】
（２）このような問題があるため、現今では、植物が育成し、水生生物などが生育生息可能な自然環境に配慮した水路が求められている。一方、生物が生息し、植物が育成可能な自然環境を配慮したコンクリート製の水路や施工方法もあるが、施工が面倒であり、製品価格・工事費が高価になるなどの問題がある。
【０００６】
本発明の解決しようとする問題点は、必要な水を効率的に流下させる等農業用水利施設の排水路機能を確保すると共に、生物の生息・植物等の生育環境を確保可能な環境等を考慮した水路構造及び水路構築方法を提供する。
【課題を解決するための手段】
【０００７】
本発明の、請求項１の発明に係る環境等を考慮した水路構造は、
底版に溝中心線を介して両側に打ち抜き可能な厚さの凹部を直列に複数個設けた第２の水路コンクリートブロックを敷設して水路を形成したことを特徴としている。
【０００８】
上記構成とされているため、凹部をそのままの状態で施工でき、また凹部の所定位置を打ち抜いた打ち抜き孔を設けて２分割構造、複断面構造の水路構造を施工できる。また、水路を流れてくる土砂等は凹部に堆積されるため、この堆積された土砂等によって植物を生育可能な状態とすることができる。さらに、凹部の存在によって石等の植物等付着部材を簡単に設置固定して植物等が付着可能にされている。
【０００９】
請求項2の発明は、請求項１に記載の環境等を考慮した水路構造において、
水路の流速を変更させる区間に配置された第２の水路コンクリートブロックの凹部に、水路流速を変更可能な流速調整部材を配設し、該水路の植物等を付着させる区間に配置された第２の水路コンクリートブロックの凹部に、植物等が付着可能な植物等付着部材を固定してなる。
【００１０】
上記構成とされているため、水路の流速を変更させる区間は、凹部に流速調整部材を設置することにより簡単に水路の流速を変更させることができる。また、植物等を付着させる区間は、凹部に石等の植物等付着部材を設置固定して簡単に植物等が付着可能にされている。
【００１１】
請求項3の発明の環境等を考慮した水路構造は、
底版に溝中心線を介して両側に打ち抜き可能な厚さの凹部を直列に複数個設けた第2の水路コンクリートブロックを敷設して水路を形成し、該凹部に、水路幅を所定間隔で２分割する位置に打ち抜き孔を設け、該打ち抜き孔に杭を立設し、該杭に土留板を固定して該土留板を境に低水路部と土壌、砂利等の生物育成材を充填した低水路敷き部とを左右に形成し、該低水路部と低水路敷き部に植物、生物等が生育・生息可能な環境に形成したことを特徴としている。
【００１２】
上記構成とされているため、（１）低水路と低水路敷部に２分割した水路構造を連続的に施工できる。また、設計または施工途中、施工終了後においても、生物環境に配慮した２分割した水路区間と通常の水路区間とに容易に変更できる。また、杭を打つ場所を変えることで、低水路部の幅を変更し、曲がりなど水路形態を色々と変化させて構築できる。従って、生物の生育に適した多様な流れを造り出すことができる。さらに、水路の分割が簡単に施工出来、施工後の改良も容易となり、生物の生育に適した水路環境の整備を行うことができる。また、水路の水位が低下した場合でも、分割された低水路では水生生物が生育可能な水位を確保できる。
【００１３】
請求項4の発明の環境等を考慮した水路構造は、
底版に複数の貫通孔を設けた断面U形の水路用コンクリートブロックを水路に用いた水路構造において、前記水路には溝中心線を介して貫通孔を両側に直列に複数個設けた第１の水路コンクリートブロックを配置し、該貫通孔には水路幅より狭い間隔で杭を２列に立設し、該杭に土留板を固定して土留板間に低水路部を形成すると共に、土留板と側壁の内壁面間に生物育成材を充填して低水路敷き部を形成して複断面構造とし、植物、生物等が生育・生息可能な環境に形成したことを特徴としている。
【００１４】
上記構成とされているため、（１）低水路と通常の水路に区分した複断面構造の水路を連続的に施工できる。また、設計または施工途中、施工終了後においても、生物環境に配慮した複断面構造の水路区間と通常の水路区間とに容易に変更できる。また、杭を打つ場所を変えることで、複断面構造の水路における低水路部の幅を変更し、曲がりなど水路形態を色々と変化させて構築できる。従って、生物の生育に適した多様な流れを造り出すことができる。さらに、低水路が簡単に施工出来、施工後の改良も容易となり、生物の生育に適した水路環境の整備を行うことができる。また、水路の水位が低下した場合でも、複断面構造の水路における低水路では水生生物が生育可能な水位を確保できる。
【００１５】
請求項５の発明は、請求項4記載の環境等を考慮した水路構造において、水路には、底版に溝中心線を介して両側に打ち抜き可能な厚さの凹部を直列に複数個設けた第２の水路コンクリートブロックを配置して施工してなる。
【００１６】
上記構成とされているため、将来水路環境を変更する区間に第２の水路コンクリートブロックを設置することにより、底版の凹部を打ち抜いて施工して水路環境を簡単に変更できる。また、工事の際には周辺環境に悪影響を及ぼさない。
【００１７】
請求項６の発明は、請求項4記載の環境等を考慮した水路構造において、底版に溝中心線を介して両側に打ち抜き可能な厚さの凹部を直列に複数個設けた第２の水路コンクリートブロックにより水路を形成し、自然環境への配慮が必要となる水路区間は、水路施工後に該凹部を打ち抜いて打ち抜き孔を設け、該打ち抜き孔に杭を立設して施工してなる。
【００１８】
上記構成とされているため、水路区間で、湧き水などの処理が必要な場合や雨水を地下に浸透する必要がある場合には、底版の凹部を打ち抜いて処理施工できるため、工事の際には周辺環境に悪影響を及ぼさない。
【００１９】
請求項７の発明は、請求項４乃至6に記載の環境等を考慮した水路構造において、土留板の下部に切欠部を設け、該切欠部位置の土留板と側壁間に魚等の隠れ場所や巣となる巣作り体を配置してなる。
【００２０】
上記構成としたため、低水路敷き部には、水中生物や魚の隠れ場所となる空間ができ、水中生物や魚が生息・生育できる環境にできる。また、低水路敷き部内に魚類の隠れ場所となる空間が設置できるため、魚類の隠れ場所を水路外に別に設置する必要がなく、施工性もよいものである。
【００２１】
請求項８の発明の、環境等を考慮した水路構築方法は、
水路の自然環境への配慮が不要とされる区間には、断面U形の第３の水路コンクリートブロックを配置し、水路の自然環境への配慮が必要な区間には、貫通孔を溝中心線を介して両側に直列に複数個設けた第１の水路コンクリートブロックを配置し、該第１の水路コンクリートブロックの貫通孔に、水路幅より狭い間隔で杭を立設し、該杭に土留板を固定して土留板間に低水路部を形成すると共に、土留板と側壁の内壁面間に生物育成材を充填して低水路敷き部を形成した複断面構造とし、植物、生物等が生育・生息可能な環境に形成したことを特徴としている。
【００２２】
上記構成とされているため、地域環境に順応するように各区間の弾力的な設計・施工ができ、生態系の回復状況を確認しながら段階的な施工もできる。従って、生態系に配慮を希望するが、極力経済的で維持管理がかからない区間等の水田区間、多様な流れをつくり環境整備を行う区間の集落隣接区間等それぞれの区間に適した断面構造の水路を施工できる。
【発明の効果】
【００２３】
本発明によれば、以下の効果を奏する。
請求項1の発明によれば、凹部をそのままの状態で施工でき、また凹部の所定位置を打ち抜いた打ち抜き孔を設けて２分割構造、複断面構造の水路構造を施工できる。また、水路を流れてくる土砂等は凹部に堆積されるため、この堆積された土砂等によって植物を生育可能な状態にできる。さらに、凹部の存在によって石等の植物等付着部材を簡単に設置固定して植物等が付着可能にできる。
【００２４】
請求項2の発明によれば、水路の流速を変更させる区間は、凹部に流速調整部材を設置することにより簡単に水路の流速を変更させることができる。また、植物等を付着させる区間は、凹部に石等の植物等付着部材を設置固定して簡単に植物等が付着できる。
【００２５】
請求項3の発明によれば、（１）低水路と低水路敷部に２分割した水路構造を連続的に施工できる。また、設計または施工途中、施工終了後においても、生物環境に配慮した２分割した水路区間と通常の水路区間とに容易に変更できる。
（２）杭を打つ場所を変えることで、低水路部の幅を変更し、曲がりなど水路形態を色々と変化させて構築できる。従って、生物の生育に適した多様な流れを造り出すことができる。
（３）水路の分割が簡単に施工出来、施工後の改良も容易となり、生物の生育に適した水路環境の整備を行うことができる。
（４）水路の水位が低下した場合でも、分割された低水路では水生生物が生育可能な水位を確保できる。
【００２６】
請求項4の発明によれば、（１）低水路と通常の水路に区分した複断面構造の水路を連続的に施工できる。また、設計または施工途中、施工終了後においても、生物環境に配慮した複断面構造の水路区間と通常の水路区間とに容易に変更できる。
（２）杭を打つ場所を変えることで、複断面構造の水路における低水路部の幅を変更し、曲がりなど水路形態を色々と変化させて構築できる。従って、生物の生育に適した多様な流れを造り出すことができる。
（３）低水路が簡単に施工出来、施工後の改良も容易となり、生物の生育に適した水路環境の整備を行うことができる。
（４）水路の水位が低下した場合でも、複断面構造の水路における低水路では水生生物が生育可能な水位を確保できる。
【００２７】
請求項５の発明によれば、将来水路環境を変更する区間に第２の水路コンクリートブロックを設置することにより、底版の凹部を打ち抜いて施工して水路環境を簡単に変更できる。また、工事の際には周辺環境に悪影響を及ぼさないようにできる。
【００２８】
請求項６の発明によれば、水路区間で、湧き水などの処理が必要な場合や雨水を地下に浸透する必要がある場合には、底版の凹部を打ち抜いて処理施工できるため、工事の際には周辺環境に悪影響を及ぼさない。
【００２９】
請求項７の発明によれば、低水路敷き部には、水中生物や魚の隠れ場所となる空間ができ、水中生物や魚が生息・生育できる環境にできる。また、低水路敷き部内に魚類の隠れ場所となる空間が設置できるため、魚類の隠れ場所を水路外に別に設置する必要がなく、施工性もよいものである。
【００３０】
請求項８の発明によれば、地域環境に順応するように各区間の弾力的な設計・施工ができ、生態系の回復状況を確認しながら段階的な施工もできる。従って、生態系に配慮を希望するが、極力経済的で維持管理がかからない区間等の水田区間、多様な流れをつくり環境整備を行う区間の集落隣接区間等それぞれの区間に適した断面構造の水路を施工できる。
【発明を実施するための最良の形態】
【００３１】
本発明を図1〜図2１により説明する。
本発明の、環境等を考慮した水路構造における第一実施例の水路１は、断面U形の水路用コンクリートブロックを水路に用いた水路構造に関するもので、図１〜図３のように、底版４に溝中心線Mを介して両側に打ち抜き可能な厚さの凹部６を直列に複数個設けた第２の水路コンクリートブロック１６により形成されている。
前記第２の水路用コンクリートブロック１６、後述する第１の水路用コンクリートブロック２、第３の水路用コンクリートブロック１９は、通常の規格化されている断面U形の水路コンクリートブロックと同一断面形状に形成されている。
前記凹部６は、部材強度を確保可能な範囲で製造され、任意水路幅の低水路１７が構築可能に、溝中心線迄の幅より小さい幅で、例えば、正方形、長方形に成形されている。
【００３２】
また、図６、図７のように、第一実施例の水路１は、水路の流速を変更させる区間に配置された第２の水路コンクリートブロックの凹部6に、水路流速を変更可能な流速調整部材１５が配設されている。また、該水路の植物等を付着させる区間に配置された第２の水路コンクリートブロックの凹部6に、植物等が付着可能な植物等付着部材を固定され、水路における流速を可変可能とし、植物等が付着可能にして繁茂可能にされ、水路１における各区間の環境が整備可能にされている。
【００３３】
さらに、第一実施例の水路１は、図３〜５のように、底版４に溝中心線を介して両側に打ち抜き可能な厚さの凹部６を直列に複数個設けた第2の水路コンクリートブロック１６により水路が形成されている。
また、該凹部6に、水路幅を所定間隔で２分割する位置に打ち抜き孔５１を設け、該打ち抜き孔５１に杭７を立設されている。該杭７に土留板８を固定して該土留板８を境に低水路部１７と土壌、砂利等の生物育成材１３を充填した低水路敷き部１８とを左右に形成し、該低水路部１７と低水路敷き部１８に植物、生物等が生育・生息可能な環境に形成されている。前記杭７、土留板８は、コンクリート製、鋼製、間伐材などの自然材などが使用されている。
【００３４】
本発明の、第二実施例の水路１aは、図８、図９のように、底版４に複数の貫通孔５を設けた断面U形の水路用コンクリートブロックを水路に用いた水路構造に関するものである。
前記水路１aには、溝中心線Mを介して貫通孔５を両側に直列に複数個設けた第１の水路コンクリートブロック２を配置し、該貫通孔５には水路幅より狭い間隔で杭７を２列に立設されている。また、該杭７に土留板８を固定して土留板８間に低水路部１７を形成すると共に、土留板８と側壁３の内壁面間に生物育成材１３を充填して低水路敷き部１８を形成して複断面構造とし、植物、生物等が生育・生息可能な環境に形成されている。
前記貫通孔５は、部材強度を確保可能な範囲で製造され、任意水路幅の低水路１７が構築可能に、溝中心線迄の幅より小さい幅で、例えば、正方形、長方形に成形されている。
前記杭７、土留板８は、コンクリート製、鋼製、間伐材などの自然材などが使用されている。
【００３５】
低水路部１７の開始端と最終端は図１０のように端部土留板９を直角に配置するか、図１１のように端部土留板９を傾斜させて固定してもよい。また、土留板８と端部土留板９とは一体成形してもよく、また別部材を所定手段で連結してもよいものである。
低水路部１７の中間部は、図１２のように土留板８をほぼ平行に配置して固定、又は図１３のように、低水路部１７が段階的に右側に向かうに従って幅狭となるように形成した土留板８と杭７を用いて施工してもよい。
生物育成材１３は、植物、生物等が生育・生息可能な環境にできるように、例えば、土壌、腐葉土、砂利等が使用されている。
【００３６】
第二実施例の水路１ａでは、図３のような第一実施例の水路１で使用した、底版４に溝中心線を介して両側に打ち抜き可能な厚さの凹部６を直列に複数個設けた、第２の水路コンクリートブロック１６を配置して施工してもよいものである。
【００３７】
また、図２０、図２１のように、底版４に溝中心線を介して両側に打ち抜き可能な厚さの凹部６を直列に複数個設けた第２の水路コンクリートブロックにより水路を形成し、自然環境への配慮が必要となる水路区間は、水路施工後に該凹部６を打ち抜いて打ち抜き孔５１を設け、該打ち抜き孔５１に杭７を立設して施工してもよいものである（請求項６）。
【００３８】
さらに、図１６、図１７のように、前記土留板８の下部に切欠部１０を設け、該切欠部１０位置の土留板８と側壁３間に魚等の隠れ場所や巣となる巣作り体１１が配置して、水中生物や魚の隠れ場所となる空間１２を形成している。また、該土留板８には水中生物や魚に対応して、所々に所定径の穴を穿設してこれら水中生物や魚の隠れ場所となる空間１２を作ってもよい。
【００３９】
環境等を考慮した水路構築方法は、図１８のように、水路の自然環境への配慮が不要とされる区間Ｌ２には、断面U形の第３の水路コンクリートブロックを配置されている。また、水路の自然環境への配慮が必要な区間Ｌ１には、貫通孔５を溝中心線を介して両側に直列に複数個設けた第１の水路コンクリートブロック２を配置されている。該第１の水路コンクリートブロック２の貫通孔５に、水路幅より狭い間隔で杭７を立設されている。また、該杭７に土留板８を固定して土留板８間に低水路部１７を形成すると共に、土留板８と内側側壁３間に生物育成材１３を充填して低水路敷き部１８を形成して複断面構造としている。そして、植物、生物等が生育・生息可能な環境に形成されている。
【図面の簡単な説明】
【００４０】
【図１】本発明の、第一実施例の水路に使用する第２の水路コンクリートブロックの平面図。
【図２】本発明の、第一実施例の水路に使用する第２の水路コンクリートブロックのＡ―Ａ断面図。
【図３】本発明の、第一実施例の水路の平面図。
【図４】本発明の、第一実施例の水路の平面図。
【図５】本発明の、Ｂ―Ｂ断面図。
【図６】本発明の、第一実施例の水路の平面図。
【図７】本発明の、C―C断面図。
【図８】本発明の、第二実施例の水路に使用する第１の水路コンクリートブロックの平面図。
【図９】本発明の、第二実施例の水路に使用する第1の水路コンクリートブロックのD―D断面図。
【図１０】本発明の、第１の水路コンクリートブロックを使用した第二実施例の水路の平面図。
【図１１】本発明の、第１の水路コンクリートブロックを使用した第二実施例の水路の平面図。
【図１２】本発明の、第１の水路コンクリートブロックを使用した第二実施例の水路の平面図。
【図１３】本発明の、第１の水路コンクリートブロックを使用した第二実施例の水路の平面図。
【図１４】本発明の、E―E断面図。
【図１５】本発明の、第二実施例の水路における水位低下状態の断面図。
【図１６】本発明の、F―F断面図
【図１７】本発明の、切欠部、空間を設けた土留板を使用した水路の長手方向中央断面図。
【図１８】本発明の、水田区間、集落隣接区間の水路の平面図。
【図１９】本発明の、第３の水路コンクリートブロックの斜視図。
【図２０】本発明の、第２の水路コンクリートブロックを使用した水路の平面図。
【図２１】本発明の、G―G断面図
【符号の説明】
【００４１】
１    水路
２    第１の水路コンクリートブロック
３    側壁
４    底版
５    貫通孔
５1  打ち抜き孔
６    凹部
７    杭
８    土留板
９    端部土留板
１０    切欠部
１１    巣作り体
１２    空間
１３  育成部材
１４    植物
１５    流速調整部材
１５ａ  植物等付着材
１６    第２の水路コンクリートブロック
１７    低水路部
１８    低水路敷き部
１９    第３の水路コンクリートブロック
W1    通常水路の水位
W1    低水路部の水位
L１    集落隣接区間
L２    水田区間
【図１】
2005248431.tif 000003
【図２】
2005248431.tif 000004
【図３】
2005248431.tif 000005
【図４】
2005248431.tif 000006
【図５】
2005248431.tif 000007
【図６】
2005248431.tif 000008
【図７】
2005248431.tif 000009
【図８】
2005248431.tif 000010
【図９】
2005248431.tif 000011
【図１０】
2005248431.tif 000012
【図１１】
2005248431.tif 000013
【図１２】
2005248431.tif 000014
【図１３】
2005248431.tif 000015
【図１４】
2005248431.tif 000016
【図１５】
2005248431.tif 000017
【図１６】
2005248431.tif 000018
【図１７】
2005248431.tif 000019
【図１８】
2005248431.tif 000020
【図１９】
2005248431.tif 000021
【図２０】
2005248431.tif 000022
【図２１】
2005248431.tif 000023